(57)【要約】【課題】給水装置全体を迅速かつ適正に洗浄することができる給水装置に用いられる洗浄装置を提供する。【解決手段】給水装置１１の冷水タンク１３に設けた取水ノズル１５に洗浄装置５１の可撓管６３に連結した接続具６４を接続する。洗浄水タンク５４に接続された可撓管７３の先端部の分岐可撓管７３ａ，７３ｂに接続した接続具７５を冷水コック１９及び温水コック２４に接続する。可撓管７４の分岐可撓管７４ａ，７４ｂに連結した接続具８１を止水栓２６及び止水栓２８に接続する。洗浄水タンク５４内の洗浄水をポンプ５７を作動させて可撓管６３から冷水タンク１３に供給し、冷水タンク１３から可撓管７３及び可撓管７４を通して洗浄水タンク５４に還流する。【選択図】図１
2008213848.tif 000002
【特許請求の範囲】
【請求項１】
冷水タンク及び温水タンクの少なくともいずれか一方を備えるとともに、該タンクに水を供給するための取水口を設け、前記タンク内の水を外部に取り出すコックを設けた給水装置に用いられる洗浄装置であって、
支持体に対し洗浄水を貯留するための洗浄水タンクを設け、該洗浄水タンクに対し該タンク内の洗浄水をポンプにより前記取水口に供給するための可撓管を接続し、同じく前記洗浄水タンクに対し前記コックに接続可能な可撓管を接続し、前記ポンプの下流側の配管に切換弁を介して使用済みの洗浄水を外部に排出するための排水管を接続したことを特徴とする給水装置に用いられる洗浄装置。
【請求項２】
請求項１において、前記給水装置には冷水タンクと温水タンクが設けられるとともに、両タンクにはそれぞれドレン管が接続され、前記洗浄水タンクには、冷水コック、温水コック及び両ドレン管の先端部にそれぞれ接続可能な接続具を有する可撓管が接続されていることを特徴とする給水装置に用いられる洗浄装置。
【請求項３】
請求項２において、前記冷水コック及び温水コックは、コック本体と、該コック本体に装着された開閉弁とにより構成され、前記可撓管の先端部に接続された接続具は、前記コック本体から前記開閉弁を取り外した状態で、前記コック本体に対し取付手段により取り付けられるように構成されていることを特徴とする給水装置に用いられる洗浄装置。
【請求項４】
請求項２において、前記冷水コック及び温水コックは、コック本体と、該コック本体に装着された開閉弁とにより構成され、前記可撓管の先端部に接続された接続具は、前記コック本体に前記開閉弁を装着した状態で、前記コック本体に対し取付手段により取り付けられ、前記接続具の取付状態で前記開閉弁が開放位置に切り換えられるように構成されていることを特徴とする給水装置に用いられる洗浄装置。
【請求項５】
請求項２〜４のいずれか一項において、前記冷水コック及び温水コックは、コック本体と、該コック本体に装着された開閉弁とにより構成され、前記可撓管の先端部に接続された接続具は、前記コック本体から前記開閉弁を取り外した状態で、該コック本体の上端開口部に接続されるように構成されていることを特徴とする給水装置に用いられる洗浄装置。
【請求項６】
請求項２〜５のいずれか一項において、前記ドレン管の先端部に設けられた栓本体には密栓が螺合され、この密栓を取り外した状態で、可撓管の先端部に接続された接続具が接続されるように構成されていることを特徴とする給水装置に用いられる洗浄装置。
【請求項７】
請求項１〜６のいずれか一項において、前記支持体には、前記ポンプの運転を所要時間行うためのタイマが設けられていることを特徴とする給水装置に用いられる洗浄装置。
【請求項８】
請求項１〜７のいずれか一項において、前記切換弁の下流側の配管には、前記切換弁と別の切換弁が設けられ、この切換弁によって水道の蛇口から供給される浄水を前記タンクに接続される前記可撓管に供給することができるように構成されていることを特徴とする給水装置に用いられる洗浄装置。
【発明の詳細な説明】
【技術分野】
【０００１】
本発明は、給水装置に用いられる洗浄装置に関する。
【背景技術】
【０００２】
一般に、給水装置は、ケースの上部に冷水タンク及び温水タンクを設け、該冷水タンクに水を供給するための取水ノズルを設け、前記ケースの前面に対し両タンク内の水を外部に取り出すための冷水コック及び温水コックを設けて構成されている。又、前記冷水タンク及び温水タンクには、ドレン管が設けられ、前記両タンク内の水を清掃時に外部に排出できるようになっている。前記冷水タンクの内部には、タンク内の雑菌を殺菌するための紫外線発光器及び光触媒が設けられている。
【発明の開示】
【発明が解決しようとする課題】
【０００３】
上記従来の給水装置は、雑菌を殺菌するための紫外線発光器等が設けられているが、長時間使用すると、例えば水に混入していた不純物が冷水タンクの内面に付着してヌメリとなって雑菌が繁殖し易くなったり、不純物がタンクの内面から剥がれて、冷水に混入したりするという問題がある。このため、従来は給水装置を定期的に分解して、冷水タンク及び温水タンク内の清掃を行うようにしていた。しかし、この給水装置を分解した上で、清掃を行う作業は、非常に面倒であるばかりでなく、冷水タンクと冷水コックを接続する配管の内部の清掃が非常に難しく、給水装置全体を適正かつ迅速に清掃することが非常に困難であるという問題があった。
【０００４】
本発明は、上記従来の問題点を解消して、給水装置全体を適正かつ迅速に洗浄することができる給水装置に用いられる洗浄装置を提供することにある。
【課題を解決するための手段】
【０００５】
上記問題点を解決するために、請求項１に記載の発明は、冷水タンク及び温水タンクの少なくともいずれか一方を備えるとともに、該タンクに水を供給するための取水口を設け、前記タンク内の水を外部に取り出すコックを設けた給水装置に用いられる洗浄装置であって、支持体に対し洗浄水を貯留するための洗浄水タンクを設け、該洗浄水タンクに対し該タンク内の洗浄水をポンプにより前記取水口に供給するための可撓管を接続し、同じく前記洗浄水タンクに対し前記コックに接続可能な可撓管を接続し、前記ポンプの下流側の配管に切換弁を介して使用済みの洗浄水を外部に排出するための排水管を接続したことを要旨とする。
【０００６】
請求項２に記載の発明は、請求項１において、前記給水装置には冷水タンクと温水タンクが設けられるとともに、両タンクにはそれぞれドレン管が接続され、前記洗浄水タンクには、冷水コック、温水コック及び両ドレン管の先端部にそれぞれ接続可能な接続具を有する可撓管が接続されていることを要旨とする。
【０００７】
請求項３に記載の発明は、請求項２において、前記冷水コック及び温水コックは、コック本体と、該コック本体に装着された開閉弁とにより構成され、前記可撓管の先端部に接続された接続具は、前記コック本体から前記開閉弁を取り外した状態で、前記コック本体に対し取付手段により取り付けられるように構成されていることを要旨とする。
【０００８】
請求項４に記載の発明は、請求項２において、前記冷水コック及び温水コックは、コック本体と、該コック本体に装着された開閉弁とにより構成され、前記可撓管の先端部に接続された接続具は、前記コック本体に前記開閉弁を装着した状態で、前記コック本体に対し取付手段により取り付けられ、前記接続具の取付状態で前記開閉弁が開放位置に切り換えられるように構成されていることを要旨とする。
【０００９】
請求項５に記載の発明は、請求項２〜４のいずれか一項において、前記冷水コック及び温水コックは、コック本体と、該コック本体に装着された開閉弁とにより構成され、前記可撓管の先端部に接続された接続具は、前記コック本体から前記開閉弁を取り外した状態で、該コック本体の上端開口部に接続されるように構成されていることを要旨とする。
【００１０】
請求項６に記載の発明は、請求項２〜５のいずれか一項において、前記ドレン管の先端部に設けられた栓本体には密栓が螺合され、この密栓を取り外した状態で、可撓管の先端部に接続された接続具が接続されるように構成されていることを要旨とする。
【００１１】
請求項７に記載の発明は、請求項１〜６のいずれか一項において、前記支持体には、前記ポンプの運転を所要時間行うためのタイマが設けられていることを要旨とする。
請求項８に記載の発明は、請求項１〜７のいずれか一項において、前記切換弁の下流側の配管には、前記切換弁と別の切換弁が設けられ、この切換弁によって水道の蛇口から供給される浄水を前記タンクに接続される前記可撓管に供給することができるように構成されていることを要旨とする。
【００１２】
（作用）
本発明は、切換弁に接続された可撓管の先端が給水装置の取水口に接続されるとともに、洗浄水タンクに接続された洗浄水の還流用の可撓管の先端がコックに接続された状態でポンプが作動される。すると、洗浄水タンク内の洗浄水が可等管を通して給水装置の例えば冷水タンクに供給され、冷水タンク内の洗浄水は冷水コックから可撓管を通して洗浄水タンク内に還流される。この洗浄水が循環されることにより冷水タンク内の洗浄が行われる。
【発明の効果】
【００１３】
本発明によれば、洗浄水が給水装置の冷水タンク及び温水タンクの少なくとも一方に循環供給されるので、給水装置を分解したり移動したりしなくても給水装置全体を迅速かつ適正に洗浄することができる。
【発明を実施するための最良の形態】
【００１４】
以下、本発明を具体化した給水装置に用いられる洗浄装置の一実施形態を図１〜図８にしたがって説明する。
最初に、図１により給水装置１１について説明する。この給水装置１１のケース１２の上部には、冷水タンク１３が設けられ、冷水タンク１３の上部には、図示しないボトルを取り外し可能に装着するためのボトル装着部１４が設けられている。このボトル装着部１４の底部には、前記ボトルから水を冷水タンク１３の内部に供給するための取水口としての取水ノズル１５が設けられている。前記冷水タンク１３の外周面には、冷水タンク１３内の水を冷却するためのペルチェ素子を用いた冷却手段１６が設けられている。前記冷水タンク１３の底部には冷水貯留室１７から冷水を外部に導き出すための冷水配管１８が設けられ、ケース１２の前面に設けた冷水コック１９から冷水を取り出すことができるようになっている。前記ケース１２の内部には前記冷水タンク１３の下方に位置するように温水タンク２０が設けられ、連通管２１を介して、前記冷水貯留室１７から水を温水タンク２０の内部に導入するようになっている。前記温水タンク２０の外周面には温水タンク２０内の水を加熱するためのヒータ２２が設けられている。前記温水タンク２０には、温水配管２３の一部が挿入され、該温水配管２３の先端部は、ケース１２の前面に設けられた温水コック２４に接続され、この温水コック２４によって、温水を取り出すことができるようになっている。
【００１５】
前記冷水タンク１３には、ドレン管２５の基端が連通され、ドレン管２５の先端は、前記ケース１２の背面に設けられた止水栓２６に接続されている。前記温水タンク２０の下面には、ドレン管２７の基端が接続され、ドレン管２７の先端は、同じくケース１２の背面に設けられた止水栓２８に接続されている。
【００１６】
次に、前記取水ノズル１５、冷水コック１９、温水コック２４及び止水栓２６，２８について順次説明する。
最初に、取水ノズル１５について説明すると、この取水ノズル１５は、図２に示すように前記ボトル装着部１４の底部中央に立設されたノズル３１と、そのノズル３１の下端部に螺合され、かつ該ノズル３１を締め付け固定するナット３２とにより構成されている。ノズル３１の内部には通水路３１ａが設けられ、上部には通水孔３１ｂ  ，３１ｃが設けられ、前記ボトル装着部１４に装着された図示しないボトル内の水を通水路３１ａから冷水タンク１３の内部に供給できるようになっている。
【００１７】
次に、前記冷水コック１９及び温水コック２４について説明する。両コック１９，２４は同様に構成されているので、冷水コック１９のみについて説明する。図３に示すように前記ケース１２の前面にはコック本体３５が通水孔を有する締付金具３６によって締め付け固定され、コック本体３５の上側開口部の外周の雄ネジ部には、キャップ３７が螺合されている。キャップ３７には棒状の弁体３８が上下方向の往復動可能に支持され、弁体３８の弁部３８ａとキャップ３７との間にはバネ３９が設けられ、弁体３８の上端部には、操作ハンドル４０がピン４１によって往復回動可能に装着されている。従って、ハンドル４０をバネ３９の弾性力に抗して上方に回動操作すると、弁体３８が持ち上げられ、コック本体３５の弁孔３５ａが開放され、冷水が取り出されるようになっている。
【００１８】
次に、図４に基づいて、前記両止水栓２６，２８について説明する。この両止水栓２６，２８は同様に構成されているので、止水栓２６についてのみ説明する。前記ケース１２の背面には、栓本体４５がボルト４６によって取り付けられ、栓本体４５の基端部には、前記ドレン管２５の先端が接続されている。前記栓本体４５の先端部には密栓４７が螺合されている。
【００１９】
次に、前記のように構成された給水装置１１に用いられる洗浄装置５１について説明する。
図１に示すように洗浄装置５１の支持体としての本体ケース５２の下部には、キャスター５３が設けられている。前記本体ケース５２の上部には、洗浄水を貯留するための洗浄水タンク５４が設けられ、その洗浄水タンク５４の上側開口部５４ａには開閉可能な蓋５５が設けられている。前記洗浄水タンク５４の下部には配管５６を介してモータ５８により作動されるポンプ５７が接続され、該配管５６の先端部には、手動式の切換弁５９を介して配管６０及び排水管６１が分岐接続されている。前記配管６０には継手６２を介して可撓管６３が接続され、この可撓管６３の先端部には、図５に示すように接続具６４が連結されている。そして、ノズル３１に接続具６４を接続した状態で、洗浄水タンク５４内の洗浄水を配管５６及び可撓管６３を通して前記ノズル３１から冷水タンク１３内に供給するようにしている。前記排水管６１の先端部は、本体ケース５２の外部に導出され、洗浄水タンク５４内の使用済みの洗浄水を外部に排出することができるようになっている。
【００２０】
前記洗浄水タンク５４の側壁には、二箇所にフランジ７１，７２が設けられ、各７１，７２には、可撓管７３，７４の基端部がそれぞれ取り外し可能に接続され、各可撓管７３，７４の先端部は、分岐可撓管７３ａ，７３ｂ、７４ａ，７４ｂに分岐されている。両分岐可撓管７３ａ，７３ｂの先端部には、図６に示すように、前記冷水及び温水コック１９，２４に対し取り外し可能に接続される接続具７５が連結されている。両分岐可撓管７４ａ，７４ｂの先端部には、図８に示すように前記両止水栓２６，２８の栓本体４５に対しそれぞれ取外し可能に接続される接続具８１が連結されている。
【００２１】
次に、前記接続具７５について説明すると、図６に示すように、前記冷水コック１９に該接続具７５を接続する場合には、コック本体３５から、前記キャップ３７、弁体３８、バネ３９及びハンドル４０を取り外してコック本体３５の弁孔３５ａを開放する。この状態で、前記コック本体３５の下端部に前記接続具７５を接合するとともに、図７に示すように前記接続具７５に一体的に連結された取付枠７７を、コック本体３５を取り囲むように装着する。さらに、前記コック本体３５の上端開口部にキャップ７６を接合し、取付枠７７の上部に上下方向に螺合された締付ボルト７８を回動して前記キャップ７６の上面に押し付けることによって接続具７５をコック本体３５の下端開口部に取り付ける。この実施形態では、前記キャップ７６、取付枠７７及びボルト７８等により前記接続具７５をコック本体３５に取り付けるための取付手段が構成されている。
【００２２】
前記止水栓２６に接続具８１の一端部を接続する場合には、図８に示すように前記栓本体４５から密栓４７を取り外した状態で、両接続具８１を栓本体４５のネジ孔に螺合する。
【００２３】
図１に示すように前記本体ケース５２の前面には、タイマ８５が設けられ、前記ポンプ５７の作動時間を所要時間に適宜設定することができるようにしている。
次に、前記のように構成された洗浄装置５１の動作について説明する。
【００２４】
最初に、図１に示す給水装置１１の冷水タンク１３及び温水タンク２０内の水を図４に示す密栓４７を取り外して全て排出する。次に、図１及び図５に示すように、前記取水ノズル１５に可撓管６３の接続具６４を接続するとともに、冷水コック１９及び温水コック２４に対し図６及び図７に示すように可撓管７３の分岐可撓管７３ａ，７３ｂに接続された二つの接続具７５をそれぞれ接続する。さらに、両止水栓２６，２８の栓本体４５に対し可撓管７４の分岐可撓管７４ａ，７４ｂに接続された二つの接続具８１を図８に示すようにそれぞれ接続する。又、前記切換弁５９を洗浄ポートに切り換えるとともに、洗浄水タンク５４内に洗剤を溶融させた洗浄水を貯留する。さらに、前記タイマ８５によりポンプ５７の作動（洗浄作業）時間を所定時間に設定する。この状態で、前記ポンプ５７の起動スイッチ（図示略）をオンすると、ポンプ５７が起動され、洗浄水タンク５４内の洗浄水が可撓管６３を通して冷水タンク１３の冷水貯留室１７内に供給される。この冷水貯留室１７内の洗浄水は、冷水配管１８及び冷水コック１９を通して分岐可撓管７３ａから可撓管７３に流動されるとともに、冷水貯留室１７から連通管２１を通して温水タンク２０内に流動され、温水タンク２０内から温水配管２３及び温水コック２４を通して分岐可撓管７３ｂに導かれる。両分岐可撓管７３ａ，７３ｂの洗浄水は合流されて可撓管７３を通して洗浄水タンク５４内に還流される。
【００２５】
一方、前記冷水タンク１３及び温水タンク２０内の洗浄水は、ドレン管２５，２７を通して分岐可撓管７４ａ，７４ｂから可撓管７４に合流するように導かれ、洗浄水タンク５４に還流される。洗浄水タンク５４内に還流された洗浄水は、再び前記可撓管６３から前記冷水タンク１３内に供給され、冷水タンク１３、温水タンク２０、連通管２１、冷水配管１８、温水配管２３及びドレン管２５，２７内の洗浄に用いられる。
【００２６】
前記給水装置１１の洗浄作業が所定時間行われると、タイマ８５がタイムアップして、ポンプ５７が停止される。この状態で切換弁５９を手動により洗浄ポートから排水ポートに切り換える。その後、再びポンプ５７を所定時間作動させて、洗浄水タンク５４内の使用済みの洗浄水を排水管６１を通して外部に排出する。
【００２７】
上記の洗浄水の排出動作が終了すると、前記切換弁５９を洗浄ポートに切り換えるとともに、洗浄水タンク５４内に濯ぎ水（浄水）を貯留し、ポンプ５７をタイマ８５により所定時間だけ作動させて、冷水タンク１３及び温水タンク２０内に残留している洗浄水を濯ぎ水を循環させることにより清掃して洗浄水タンク５４内に回収する。この濯ぎ清掃が終了した後、切換弁５９を排水ポートに切り換えて、洗浄水タンク５４内の濯ぎ水を外部に排出する。
【００２８】
以上のようにして、給水装置１１の洗浄動作が終了するので、取水ノズル１５から接続具６４を取り外すと共に、冷水及び温水コック１９，２４から接続具７５を取り外し、さらに止水栓２６，２８から接続具８１を取り外す。そして、前記コック本体３５に図３に示すようにキャップ３７〜ハンドル４０を装着し、図４に示すように栓本体４５に密栓４７を取り付けることにより、給水装置１１が使用可能となる。
【００２９】
上記実施形態の給水装置に用いられる洗浄装置によれば、以下のような効果を得ることができる。
（１）上記実施形態では、給水装置１１の取水ノズル１５に洗浄装置５１の可撓管６３の接続具６４を接続し、冷水及び温水コック１９，２４に可撓管７３の接続具７５を接続し、止水栓２６，２８の栓本体４５に可撓管７４の接続具８１を接続し、ポンプ５７を作動することにより、洗浄水タンク５４内の洗浄水を冷水タンク１３内及び温水タンク２０内に供給して循環させるようにした。このため、給水装置１１を分解したり、移動したりしなくても、給水装置１１の冷水タンク１３、温水タンク２０及び冷水配管１８、温水配管２３の内部を適正かつ迅速に洗浄することができる。
【００３０】
（２）上記実施形態では、切換弁５９を排水ポートに切り換えることにより洗浄水タンク５４内の使用済みの洗浄水を排水管６１を通して外部に容易に排出することができる。
（３）上記実施形態では、タイマ８５によりポンプ５７の作動時間を適宜に設定することができるので、給水装置１１の内部の汚損状態に応じて、洗浄時間を適正に設定することができる。
【００３１】
（４）上記実施形態では、可撓管７３の分岐可撓管７３ａ，７３ｂに接続具７５を連結するとともに、可撓管７４の分岐可撓管７４ａ，７４ｂに接続具８１を連結したので、可撓管７３，７４の管材を少なくすることができる。
【００３２】
なお、上記実施形態は以下のように変更してもよい。
・図９は冷水コック１９（温水コック２４）に接続される接続具７５の別の実施形態を示すものである。この接続具７５は、コック本体３５の上端開口部の外周に形成された雄ネジ部に螺合される締付筒９１と、この締付筒９１の中心部に螺合され、かつ通水路９２ａを有する弁体９２とにより構成されている。前記弁体９２の先端部には前記弁孔３５ａを封止するためのゴム栓９３が設けられている。前記弁体９２の外端部には前記分岐可撓管７３ａが連結されている。この実施形態では、図６及び図７に示す構造と比較して、コック本体３５に対する接続具７５の接続構造を簡素化することができる。
【００３３】
・図１０及び図１１に示すように、冷水コック１９のハンドル４０を開放位置に切り換えた状態で、前記取付枠７７により接続具７５をコック本体３５の下端部に取り付けるようにしてもよい。前記取付枠７７は、前記接続具７５を連結した下部支持部材８２と、前記キャップ３７の上面に前記ハンドル４０を迂回するように支持された上部支持部材８３と、前記下部支持部材８２及び上部支持部材８３を連結する二本の蝶ボルト８４とにより構成されている。
【００３４】
この実施形態においては、冷水コック１９からキャップ３７、弁体３８、バネ３９及びハンドル４０を取り外す必要がないので、冷水コック１９に対する接続具７５の脱着作業をさらに容易に行うことができる。
【００３５】
・図１２に示すように、洗浄装置５１の前記配管６０に前記切換弁５９とは別に切換弁９５を設け、前記給水装置１１の濯ぎ洗浄の際に、水道の蛇口９６から配管９７を介して水を可撓管６３に供給し、一回濯ぎ洗浄に用いられた水を排水管６１から排水するようにしてもよい。この場合には、給水装置１１の濯ぎ洗浄を迅速に行うことができる。
【００３６】
・図１３に示すように、洗浄装置５１をハンディタイプに構成してもよい。この場合には、洗浄装置５１の移動が容易となるので、複数の洗浄作業を容易に行うことができる。前記本体ケース５２には、図示しないが、前記継手６２、フランジ７１，７２から取り外された可撓管６３，７３，７４を収容する収容室が設けられている。
【００３７】
・図示しないが、ケース１２の内部に常温タンク、冷水タンク及び温水タンクを設け、常温タンクと温水タンクを連通管により連通した構造の給水装置を対象とした洗浄装置に具体化してもよい。
【００３８】
・図示しないが、ケース１２の内部に冷水タンク１３のみを設けた給水装置１１、温水タンク２０のみを設けた給水装置１１に用いる洗浄装置５１として具体化してもよい。
・前記キャスター５３を省略してもよい。
・   支持体としての本体ケース５２に代えて、枠体を用いてもよい。
・   前記切換弁５９，９５を電動式にしてもよい。  
【図面の簡単な説明】
【００３９】
【図１】給水装置の洗浄装置を具体化した一実施形態を示す使用状態の縦断面図。
【図２】取水ノズルの拡大断面図。
【図３】冷水コックの拡大断面図。
【図４】ドレン管の止水栓の拡大断面図。
【図５】取水ノズルに可撓管の接続具を接続した状態を示す拡大断面図。
【図６】冷水コックに可撓管の接続具を接続した状態を示す拡大断面図。
【図７】冷水コックに接続具を接続した状態を示す拡大正面図。
【図８】止水栓に可撓管の接続具を接続した状態を示す拡大断面図。
【図９】冷水コックに可撓管の接続具を接続した状態を示す別の実施形態の拡大断面図。
【図１０】この発明の洗浄装置の別の実施形態を示す接続具の取付構造を示す正面図。
【図１１】図１０の冷水コックの縦断面図。
【図１２】この発明の洗浄装置の別の実施形態を示す断面図。
【図１３】この発明の洗浄装置の別の実施形態を示す正面図。
【符号の説明】
【００４０】
１１…給水装置、１３…冷水タンク、１９…冷水コック、１９，２４…コック、２０…温水タンク、２４…温水コック、２５，２７…ドレン管、３５…コック本体、４５…栓本体、４７…密栓、５１…洗浄装置、５４…洗浄水タンク、５６，６０，９７…配管、５７…ポンプ、５９，９５…切換弁、６１…排水管、６３，７３，７４…可撓管、６４，７５，８１…接続具、８５…タイマ、９６…蛇口。
【図１】
2008213848.tif 000003
【図２】
2008213848.tif 000004
【図３】
2008213848.tif 000005
【図４】
2008213848.tif 000006
【図５】
2008213848.tif 000007
【図６】
2008213848.tif 000008
【図７】
2008213848.tif 000009
【図８】
2008213848.tif 000010
【図９】
2008213848.tif 000011
【図１０】
2008213848.tif 000012
【図１１】
2008213848.tif 000013
【図１２】
2008213848.tif 000014
【図１３】
2008213848.tif 000015